【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置であって、
第１当接部と第２当接部とが設けられた、画像形成装置本体に着脱可能なカートリッジと、
被当接部を有し、突出位置と退避位置との間を前記カートリッジの挿入方向と交差する可動方向において移動可能な可動部材と、
前記可動部材が前記突出位置にあるとき開放位置に、前記可動部材が前記退避位置にあるとき遮断位置に移動可能な回転部材と、
を有し、前記カートリッジを前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする画像形成装置。
【請求項２】
前記カートリッジを前記画像形成装置本体に挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項１に記載の画像形成装置。
【請求項３】
前記可動部材は、前記カートリッジを前記画像形成装置本体に挿入する際の挿入方向の下流側、且つ、前記可動部材の退避方向の側に傾いた平面を有することを特徴とする請求項１または２に記載の画像形成装置。
【請求項４】
前記可動部材は、前記カートリッジを前記画像形成装置本体に挿入する際の挿入方向の上流側、且つ、前記可動部材の前記可動方向における突出位置側に傾いた平面を有することを特徴とする請求項１乃至３の何れか一項に記載の画像形成装置。
【請求項５】
前記可動部材は、前記回転部材よりも前記カートリッジを前記画像形成装置本体に挿入する際の挿入方向の上流側に配置されていることを特徴とする請求項１乃至４の何れか一項に記載の画像形成装置。
【請求項６】
前記可動部材は、付勢手段によって前記突出位置に付勢されていることを特徴とする請求項１乃至５の何れか一項に記載の画像形成装置。
【請求項７】
前記可動部材は、前記カートリッジを前記画像形成装置本体に挿入する際に前記カートリッジを案内するガイド部材によって保持されており、前記カートリッジには、前記カートリッジを前記画像形成装置本体に挿入する際に前記ガイド部材によって案内される着脱ボスが設けられていることを特徴とする請求項１乃至６の何れか一項に記載の画像形成装置。
【請求項８】
被当接部を有し、突出位置と退避位置との間をカートリッジの挿入方向と交差する可動方向において移動可能な可動部材と、前記可動部材が前記突出位置にあるとき開放位置に、前記可動部材が前記退避位置にあるとき遮断位置に移動可能な回転部材と、を有し、記録媒体に画像を形成する画像形成装置の画像形成装置本体に着脱可能なカートリッジであって、
第１当接部と第２当接部とが設けられており、前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とするカートリッジ。
【請求項９】
前記画像形成装置本体に挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項８に記載のカートリッジ。
【請求項１０】
第１当接部と第２当接部とが設けられたカートリッジが着脱可能で、記録媒体に画像を形成する画像形成装置の画像形成装置本体であって、
被当接部を有し、突出位置と退避位置との間を前記カートリッジの挿入方向と交差する可動方向において移動可能な可動部材と、
前記可動部材が前記突出位置にあるとき開放位置に、前記可動部材が前記退避位置にあるとき遮断位置に移動可能な回転部材と、
を有し、前記カートリッジを挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする画像形成装置本体。
【請求項１１】
前記カートリッジを挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項１０に記載の画像形成装置本体。
【請求項１２】
前記可動部材は、前記カートリッジを挿入する際の挿入方向の下流側、且つ、前記可動部材の退避方向の側に傾いた平面を有することを特徴とする請求項１０または１１に記載の画像形成装置本体。
【請求項１３】
前記可動部材は、前記カートリッジを前記画像形成装置本体に挿入する際の挿入方向の上流側、且つ、前記可動部材の前記可動方向における突出位置側に傾いた平面を有することを特徴とする請求項１０乃至１２の何れか一項に記載の画像形成装置本体。
【請求項１４】
前記可動部材は、前記回転部材よりも前記カートリッジを前記画像形成装置本体に挿入する際の挿入方向の上流側に配置されていることを特徴とする請求項１０乃至１３の何れか一項に記載の画像形成装置本体。
【請求項１５】
前記可動部材は、付勢手段によって前記突出位置に付勢されていることを特徴とする請求項１０乃至１４の何れか一項に記載の画像形成装置本体。
【請求項１６】
前記可動部材は、前記カートリッジを挿入する際に前記カートリッジに設けられた着脱ボスを案内するガイド部材によって保持されていることを特徴とする請求項１０乃至１５の何れか一項に記載の画像形成装置本体。
【請求項１７】
記録媒体に画像を形成する画像形成装置の画像形成装置本体に着脱可能なカートリッジの誤挿入防止システムであって、
前記画像形成装置本体は、被当接部を有し、突出位置と退避位置との間を前記カートリッジの挿入方向と交差する可動方向において移動可能な可動部材と、前記可動部材が前記突出位置にあるとき開放位置に、前記可動部材が前記退避位置にあるとき遮断位置に移動可能な回転部材と、が設けられており、
前記カートリッジには、第１当接部と第２当接部とが設けられており、
前記カートリッジを前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする誤挿入防止システム。
【請求項１８】
記録媒体に画像を形成する画像形成装置であって、
被当接部を有し、突出位置と退避位置との間をカートリッジの挿入方向と交差する可動方向において移動可能な可動部材と、前記可動部材が前記突出位置にあるとき開放位置に、前記可動部材が前記退避位置にあるとき遮断位置に移動可能な回転部材と、が設けられた、画像形成装置本体に着脱可能なカートリッジと、第１当接部と第２当接部と、
を有し、前記カートリッジを前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする画像形成装置。
【請求項１９】
前記カートリッジを前記画像形成装置本体に挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項１８に記載の画像形成装置。
【請求項２０】
前記可動部材は、前記カートリッジを前記画像形成装置本体に挿入する際の挿入方向の下流側、且つ、前記可動部材の退避方向の側に傾いた平面を有することを特徴とする請求項１８または１９に記載の画像形成装置。
【請求項２１】
前記可動部材は、前記カートリッジを前記画像形成装置本体に挿入する際の挿入方向の上流側、且つ、前記可動部材の前記可動方向における突出位置側に傾いた平面を有することを特徴とする請求項１８乃至２０の何れか一項に記載の画像形成装置。
【請求項２２】
前記可動部材は、前記回転部材よりも前記カートリッジを前記画像形成装置本体に挿入する際の挿入方向の上流側に配置されていることを特徴とする請求項１８乃至２１の何れか一項に記載の画像形成装置。
【請求項２３】
前記可動部材は、付勢手段によって前記突出位置に付勢されていることを特徴とする請求項１８乃至２２の何れか一項に記載の画像形成装置。
【請求項２４】
前記カートリッジには、前記画像形成装置本体に挿入する際に前記画像形成装置本体の側のガイド部材によって案内される着脱ボスが設けられていることを特徴とする請求項１８乃至２３の何れか一項に記載の画像形成装置。
【請求項２５】
第１当接部と第２当接部とが設けられており、記録媒体に画像を形成する画像形成装置の画像形成装置本体に着脱可能なカートリッジであって、
被当接部を有し、突出位置と退避位置との間を前記カートリッジの挿入方向と交差する可動方向において移動可能な可動部材と、前記可動部材が前記突出位置にあるとき開放位置に、前記可動部材が前記退避位置にあるとき遮断位置に移動可能な回転部材と、を有し、前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とするカートリッジ。
【請求項２６】
前記画像形成装置本体に挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項２５に記載のカートリッジ。
【請求項２７】
前記可動部材は、前記カートリッジを前記画像形成装置本体に挿入する際の挿入方向の下流側、且つ、前記可動部材の退避方向の側に傾いた平面を有することを特徴とする請求項２５または２６に記載のカートリッジ。
【請求項２８】
前記可動部材は、前記カートリッジを前記画像形成装置本体に挿入する際の挿入方向の上流側、且つ、前記可動部材の前記可動方向における突出位置側に傾いた平面を有することを特徴とする請求項２５乃至２７の何れか一項に記載のカートリッジ。
【請求項２９】
前記可動部材は、前記回転部材よりも前記カートリッジを前記画像形成装置本体に挿入する際の挿入方向の上流側に配置されていることを特徴とする請求項２５乃至２８の何れか一項に記載のカートリッジ。
【請求項３０】
前記可動部材は、付勢手段によって前記突出位置に付勢されていることを特徴とする請求項２５乃至２９の何れか一項に記載のカートリッジ。
【請求項３１】
被当接部を有し、突出位置と退避位置との間をカートリッジの挿入方向と交差する可動方向において移動可能な可動部材と、前記可動部材が前記突出位置にあるとき開放位置に、前記可動部材が前記退避位置にあるとき遮断位置に移動可能な回転部材と、を有するカートリッジが着脱可能で、記録媒体に画像を形成する画像形成装置の画像形成装置本体であって、
第１当接部と第２当接部とを有し、前記カートリッジを挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする画像形成装置本体。
【請求項３２】
前記カートリッジを挿入する際、前記第１当接部が前記可動部材の前記被当接部の側を通過した後、前記第１当接部は、前記第２当接部が前記被当接部と離間し前記可動部材を前記退避位置まで退避させたとき前記回転部材と離間した状態であることを特徴とする請求項３１に記載の画像形成装置本体。
【請求項３３】
前記カートリッジを挿入する際に前記カートリッジに設けられた着脱ボスを案内するガイド部材を有することを特徴とする請求項３１または３２に記載の画像形成装置本体。
【請求項３４】
記録媒体に画像を形成する画像形成装置の画像形成装置本体に着脱可能なカートリッジの誤挿入防止システムであって、
前記画像形成装置本体は第１当接部と第２当接部とを有し、
前記カートリッジは、被当接部を有し、突出位置と退避位置との間を前記カートリッジの挿入方向と交差する可動方向において移動可能な可動部材と、前記可動部材が前記突出位置にあるとき開放位置に、前記可動部材が前記退避位置にあるとき遮断位置に移動可能な回転部材と、が設けられた、画像形成装置本体に着脱可能なカートリッジと、を有し、
前記カートリッジを前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする誤挿入防止システム。
【手続補正２】
【補正対象書類名】明細書
【補正対象項目名】００２２
【補正方法】変更
【補正の内容】
【００２２】
上記目的を達成するための本発明に係る画像形成装置の代表的な構成は、記録媒体に画像を形成する画像形成装置であって、第１当接部と第２当接部とが設けられた、画像形成装置本体に着脱可能なカートリッジと、被当接部を有し、突出位置と退避位置との間を前記カートリッジの挿入方向と交差する可動方向において移動可能な可動部材と、前記可動部材が前記突出位置にあるとき開放位置に、前記可動部材が前記退避位置にあるとき遮断位置に移動可能な回転部材と、を有し、前記カートリッジを前記画像形成装置本体に挿入する際、前記第１当接部が可動部材の前記可動方向における突出位置側を通過した後、前記第２当接部が前記被当接部と離間し、前記第１当接部が前記回転部材の前記可動方向における突出位置側を通過可能であることを特徴とする。
【手続補正３】
【補正対象書類名】明細書
【補正対象項目名】０１０９
【補正方法】変更
【補正の内容】
【０１０９】
（４−２）装置本体Ａ１に不適合カートリッジＢ２が挿入された場合
次に、装置本体Ａ１に不適合カートリッジＢ２が挿入された場合について、図１１、図１３、図１４を用いて説明する。図１３は不適合カートリッジＢ２の誤挿入防止ボスの説明図である。図１４は、そのカートリッジＢ２を装置本体Ａ１に挿入する際の誤挿入防止構成の動作説明図である。
【手続補正４】
【補正対象書類名】明細書
【補正対象項目名】０１３１
【補正方法】変更
【補正の内容】
【０１３１】
１）記録媒体Ｐに画像を形成する画像形成装置１００である。第１当接部７３ａと第２当接部７３ｂとが設けられた、画像形成装置本体Ａに着脱可能なカートリッジＢを有する。また、被当接部１５ｃを有し、突出位置Ｙと退避位置Ｚとの間をカートリッジＢの挿入方向Ｇ１と交差する可動方向において移動可能な可動部材１５を有する。前記可動部材１５が前記突出位置Ｙにあるとき開放位置Ｘ１に、前記可動部材１５が前記退避位置Ｚにあるとき遮断位置Ｘ２に移動可能な回転部材８０を有する。
【手続補正５】
【補正対象書類名】明細書
【補正対象項目名】０１３２
【補正方法】変更
【補正の内容】
【０１３２】
前記カートリッジＢを前記画像形成装置本体Ａに挿入する際、前記第１当接部７３ａが可動部材１５の前記可動方向における突出位置側を通過した後、前記第２当接部７３ｂが前記被当接部１５ｃと離間し、前記第１当接部７３ａが前記回転部材８０の前記可動方向における突出位置側を通過可能である。
【手続補正６】
【補正対象書類名】明細書
【補正対象項目名】０１３５
【補正方法】変更
【補正の内容】
【０１３５】
４）前記可動部材１５と前記回転部材８０は、前記カートリッジＢを前記装置本体Ａに挿入する際の挿入方向Ｇ１の上流側、且つ、前記可動部材１５の前記可動方向における突出位置側に傾いた平面１５ｃ１を有する。
【手続補正７】
【補正対象書類名】明細書
【補正対象項目名】０１４０
【補正方法】変更
【補正の内容】
【０１４０】
１）記録媒体Ｐに画像を形成する画像形成装置１００の画像形成装置本体Ａに着脱可能なカートリッジＢである。前記画像形成装置本体Ａは、被当接部１５ｃを有し、突出位置Ｙと退避位置Ｚとの間をカートリッジＢの挿入方向と交差する可動方向において移動可能な可動部材１５を有している。また、前記可動部材１５が前記突出位置Ｙにあるとき開放位置Ｘ１に、前記可動部材１５が前記退避位置Ｚにあるとき遮断位置Ｘ２に移動可能な回転部材８０を有している。
【手続補正８】
【補正対象書類名】明細書
【補正対象項目名】０１４１
【補正方法】変更
【補正の内容】
【０１４１】
カートリッジＢには第１当接部（７３ａ）と第２当接部（７３ｂ）とが設けられている。そして、前記画像形成装置本体Ａに挿入する際、前記第１当接部７３ａが可動部材１５の前記可動方向における突出位置側を通過した後、前記第２当接部７３ｂが前記被当接部１５ｃと離間し、前記第１当接部７３ａが前記回転部材８０の前記可動方向における突出位置側を通過可能である。
【手続補正９】
【補正対象書類名】明細書
【補正対象項目名】０１４４
【補正方法】変更
【補正の内容】
【０１４４】
１）第１当接部７３ａと第２当接部７３ｂとが設けられたカートリッジＢが着脱可能で、記録媒体Ｐに画像を形成する画像形成装置１００の画像形成装置本体Ａである。被当接部１５ｃを有し、突出位置Ｙと退避位置Ｚとの間を前記カートリッジＢの挿入方向と交差する可動方向において移動可能な可動部材１５を有する。また、前記可動部材１５が前記突出位置Ｙにあるとき開放位置Ｘ１に、前記可動部材１５が前記退避位置Ｚにあるとき遮断位置Ｘ２に移動可能な回転部材８０を有する。
【手続補正１０】
【補正対象書類名】明細書
【補正対象項目名】０１４５
【補正方法】変更
【補正の内容】
【０１４５】
そして、前記カートリッジＢを挿入する際、前記第１当接部７３ａが可動部材１５の前記可動方向における突出位置側を通過した後、前記第２当接部７３ｂが前記被当接部１５ｃと離間し、前記第１当接部７３ａが前記回転部材８０の前記可動方向における突出位置側を通過可能である。
【手続補正１１】
【補正対象書類名】明細書
【補正対象項目名】０１４８
【補正方法】変更
【補正の内容】
【０１４８】
４）前記可動部材１５は、前記カートリッジＢを前記画像形成装置本体Ａに挿入する際の挿入方向Ｇ１の上流側、且つ、前記可動部材１５の前記可動方向における突出位置側に傾いた平面１５ｃ１を有する。
【手続補正１２】
【補正対象書類名】明細書
【補正対象項目名】０１５３
【補正方法】変更
【補正の内容】
【０１５３】
記録媒体Ｐに画像を形成する画像形成装置１００の画像形成装置本体Ａに着脱可能なカートリッジＢの誤挿入防止システムである。前記画像形成装置本体Ａは、被当接部１５ｃを有し、突出位置Ｙと退避位置Ｚとの間を前記カートリッジＢの挿入方向と交差する可動方向において移動可能な可動部材１５を有する。また、前記可動部材１５が前記突出位置Ｙにあるとき開放位置Ｘ１に、前記可動部材１５が前記退避位置Ｚにあるとき遮断位置Ｘ２に移動可能な回転部材８０を有する。前記カートリッジＢには、第１当接部７３ａと第２当接部７３ｂとが設けられている。
【手続補正１３】
【補正対象書類名】明細書
【補正対象項目名】０１５４
【補正方法】変更
【補正の内容】
【０１５４】
そして、前記カートリッジＢを前記画像形成装置本体Ａに挿入する際、前記第１当接部７３ａが可動部材１５の前記可動方向における突出位置側を通過する。その通過した後、前記第２当接部７３ｂが前記被当接部１５ｃと離間し、前記第１当接部７３ａが前記回転部材８０の前記可動方向における突出位置側を通過可能である。
【手続補正１４】
【補正対象書類名】明細書
【補正対象項目名】０１５９
【補正方法】変更
【補正の内容】
【０１５９】
１）記録媒体Ｐに画像を形成する画像形成装置１００である。画像形成装置本体Ａに着脱可能なカートリッジＢを有する。前記カートリッジＢは、被当接部１５ｃを有し、突出位置Ｙと退避位置Ｚとの間を前記カートリッジＢの挿入方向と交差する可動方向において移動可能な可動部材１５を有する。また、前記可動部材１５が前記突出位置Ｙにあるとき開放位置Ｘ１に、前記可動部材１５が前記退避位置Ｚにあるとき遮断位置Ｘ２に移動可能な回転部材８０を有する。画像形成装置本体Ａは第１当接部７３ａと第２当接部７３ｂとを有する。
【手続補正１５】
【補正対象書類名】明細書
【補正対象項目名】０１６０
【補正方法】変更
【補正の内容】
【０１６０】
そして、前記カートリッジＢを前記画像形成装置本体Ａに挿入する際、前記第１当接部７３ａが可動部材１５の前記可動方向における突出位置側を通過する。その通過した後、前記第２当接部７３ｂが前記被当接部１５ｃと離間し、前記第１当接部７３ａが前記回転部材８０の前記可動方向における突出位置側を通過可能である。
【手続補正１６】
【補正対象書類名】明細書
【補正対象項目名】０１６３
【補正方法】変更
【補正の内容】
【０１６３】
４）前記可動部材１５は、前記カートリッジＢを前記画像形成装置本体Ａに挿入する際の挿入方向Ｇ１の上流側、且つ、前記可動部材１５の前記可動方向における突出位置側に傾いた平面１５ｃ１を有する。
【手続補正１７】
【補正対象書類名】明細書
【補正対象項目名】０１６８
【補正方法】変更
【補正の内容】
【０１６８】
１）第１当接部７３ａと第２当接部７３ｂとが設けられており、記録媒体Ｐに画像を形成する画像形成装置１００の画像形成装置本体Ａに着脱可能なカートリッジＢである。被当接部１５ｃを有し、突出位置Ｙと退避位置Ｚとの間を前記カートリッジＢの挿入方向と交差する可動方向において移動可能な可動部材１５を有する。前記可動部材１５が前記突出位置Ｙにあるとき開放位置Ｘ１に、前記可動部材１５が前記退避位置Ｚにあるとき遮断位置Ｘ２に移動可能な回転部材８０を有する。
【手続補正１８】
【補正対象書類名】明細書
【補正対象項目名】０１６９
【補正方法】変更
【補正の内容】
【０１６９】
そして、前記画像形成装置本体Ａに挿入する際、前記第１当接部７３ａが可動部材１５の突出方向Ｅを通過した後、前記第２当接部７３ｂが前記被当接部１５ｃと離間し、前記第１当接部７３ａが前記回転部材８０の前記可動方向における突出位置側を通過可能である。
【手続補正１９】
【補正対象書類名】明細書
【補正対象項目名】０１７２
【補正方法】変更
【補正の内容】
【０１７２】
４）前記可動部材１５は、前記カートリッジＢを前記画像形成装置本体Ａに挿入する際の挿入方向Ｇ１の上流側、且つ、前記可動部材１５の前記可動方向における突出位置側に傾いた平面１５ｃ１を有する。
【手続補正２０】
【補正対象書類名】明細書
【補正対象項目名】０１７６
【補正方法】変更
【補正の内容】
【０１７６】
１）カートリッジＢが着脱可能で、記録媒体Ｐに画像を形成する画像形成装置１００の画像形成装置本体Ａである。前記カートリッジＢは、被当接部１５ｃを有し、突出位置Ｙと退避位置Ｚとの間を前記カートリッジＢの挿入方向と交差する可動方向において移動可能な可動部材１５を有する。また、前記可動部材１５が前記突出位置Ｙにあるとき開放位置Ｘ１に、前記可動部材１５が前記退避位置Ｚにあるとき遮断位置Ｘ２に移動可能な回転部材８０を有する。前記画像形成装置本体Ａは、第１当接部７３ａと第２当接部７３ｂとを有する。
【手続補正２１】
【補正対象書類名】明細書
【補正対象項目名】０１７７
【補正方法】変更
【補正の内容】
【０１７７】
そして、前記カートリッジＢを挿入する際、前記第１当接部７３ａが可動部材１５の前記可動方向における突出位置側を通過した後、前記第２当接部７３ｂが前記被当接部１５ｃと離間し、前記第１当接部７３ａが前記回転部材８０の前記可動方向における突出位置側を通過可能である。
【手続補正２２】
【補正対象書類名】明細書
【補正対象項目名】０１８１
【補正方法】変更
【補正の内容】
【０１８１】
記録媒体Ｐに画像を形成する画像形成装置１００の画像形成装置本体Ａに着脱可能なカートリッジＢの誤挿入防止システムである。前記画像形成装置本体Ａは第１当接部７３ａと第２当接部７３ｂとを有する。前記カートリッジＢは、被当接部１５ｃを有し、突出位置Ｙと退避位置Ｚとの間を前記カートリッジＢの挿入方向と交差する可動方向において移動可能な可動部材１５を有する。また、前記可動部材１５が前記突出位置Ｙにあるとき開放位置Ｘ１に、前記可動部材１５が前記退避位置Ｚにあるとき遮断位置Ｘ２に移動可能な回転部材８０を有する。
【手続補正２３】
【補正対象書類名】明細書
【補正対象項目名】０１８２
【補正方法】変更
【補正の内容】
【０１８２】
そして、前記カートリッジＢを前記画像形成装置本体Ａに挿入する際、前記第１当接部７３ａが可動部材１５の前記可動方向における突出位置側を通過した後、前記第２当接部７３ｂが前記被当接部１５ｃと離間する。そして、前記第１当接部７３ａが前記回転部材８０の前記可動方向における突出位置側を通過可能である。